(57)【要約】      （修正有）【課題】並設された箱型に組み立てられたボックスパレットの側壁部材同士を、ボックスパレット用連結部材により連結することにより、ボックスパレットのコンテナーへの収納作業の作業効率を向上させる。【解決手段】相対する高部土手部１ａと相対する低部土手部１ｂとを有するパレット部材１と、相対する高部土手部に配置される引き抜き可能な側壁部材２と、相対する低部土手部にヒンジ連結された側壁部材３とからなるボックスパレットＢにおいて、並設された箱型に組み立てられたボックスパレットＢの側壁部材同士を、ボックスパレット用連結部材Ｃ１により連結した。【選択図】図８
2014172616.tif 000002
【特許請求の範囲】
【請求項１】
相対する高部土手部と相対する低部土手部とを有するパレット部材と、相対する高部土手部に配置される引き抜き可能な側壁部材と、相対する低部土手部にヒンジ連結された側壁部材とからなるボックスパレットにおいて、並設された箱型に組み立てられたボックスパレットの側壁部材同士を、ボックスパレット用連結部材により連結したことを特徴とするボックスパレット。
【請求項２】
並設された箱型に組み立てられたボックスパレットの側壁部材とパレット部材とが離反しないように、側壁部材とパレット部材とを、側壁部材・パレット部材分離阻止用連結部材により連結したことを特徴とする請求項１に記載のボックスパレット。
【請求項３】
引き抜き可能な側壁部材とヒンジ連結された側壁部材との下部角部付近を連結したことを特徴とする請求項１又は請求項２に記載のボックスパレット。
【発明の詳細な説明】
【技術分野】
【０００１】
本発明は、相対する高部土手部、相対する低部土手部及びフォーク挿入口が形成されているパレット部材と、相対する高部土手部に上方に引き抜き可能な側壁部材と、相対する低部土手部にヒンジ連結された側壁部材とからなり、高部土手部に、略垂直に立てられた状態の側壁部材を、上方に引き抜き、次いで、低部土手部にヒンジ連結された略垂直な側壁部材を、パレット部材に重なるように倒し、その後、パレット部材に重なるように倒された側壁部材を覆うように、引き抜かれた側壁部材を重ねるように構成されたボックスパレットに関するものである。
【背景技術】
【０００２】
上述した構成を有するボックスパレットは、一例として、特許文献１に開示されている。
【先行技術文献】
【特許文献】
【０００３】
【特許文献１】特開２０１２−１９２９３８号公報
【発明の概要】
【発明が解決しようとする課題】
【０００４】
従来、ボックスパレットは、１個ずつ、コンテナーに積み込まれ、その後、トラックやトレーラーの荷台に、複数のボックスパレットが収容されたコンテナーを載置して運送されていたが、ボックスパレットを、１個ずつ、コンテナーに積み込んでいたために、ボックスパレットのコンテナーへの収納作業に、多大の時間と労力が必要となり、コンテナーのボックスパレットへの収納作業の作業効率が悪いという問題があった。
【０００５】
本発明の目的は、上述した従来のボックスパレットのコンテナーへの収納作業における課題を解決することにある。
【課題を解決するための手段】
【０００６】
本発明は、上述した目的を達成するために、相対する高部土手部と相対する低部土手部とを有するパレット部材と、相対する高部土手部に配置される引き抜き可能な側壁部材と、相対する低部土手部にヒンジ連結された側壁部材とからなるボックスパレットにおいて、第１には、並設された箱型に組み立てられたボックスパレットの側壁部材同士を、ボックスパレット用連結部材により連結したものであり、第２には、並設された箱型に組み立てられたボックスパレットの側壁部材とパレット部材とが離反しないように、側壁部材とパレット部材とを、側壁部材・パレット部材分離阻止用連結部材により連結したものであり、第３には、引き抜き可能な側壁部材とヒンジ連結された側壁部材との下部角部付近を連結したものである。
【発明の効果】
【０００７】
相対する高部土手部と相対する低部土手部とを有するパレット部材と、相対する高部土手部に配置される引き抜き可能な側壁部材と、相対する低部土手部にヒンジ連結された側壁部材とからなるボックスパレットにおいて、並設された箱型に組み立てられたボックスパレットの側壁部材同士を、ボックスパレット用連結部材により連結したので、ボックスパレットのコンテナーへの収納作業の作業効率を向上することができる。
【０００８】
並設された箱型に組み立てられたボックスパレットの側壁部材とパレット部材とが離反しないように、側壁部材とパレット部材とを、側壁部材・パレット部材分離阻止用連結部材により連結したので、連結された２個のボックスパレットを、ホークリフトにより搬送する際に、安定した状態で、連結された２個のボックスパレットＢ、コンテナーに積み込むことができる。
【０００９】
引き抜き可能な側壁部材とヒンジ連結された側壁部材との下部角部付近を連結したので、連結された２個のボックスパレットを、ホークリフトにより搬送する際に、更に安定した状態で、連結された２個のボックスパレットを、コンテナーに積み込むことができる。
【図面の簡単な説明】
【００１０】
【図１】図１は、本発明のボックスパレットの斜視図である。
【図２】図２は、本発明のボックスパレットを構成するパレット部材の斜視図である。
【図３】図３は、本発明のボックスパレットが折り畳まれた状態の斜視図である。
【図４】図４は、本発明のボックスパレットの上部角部付近の部分拡大斜視図である。
【図５】図５は、本発明のボックスパレットの下部角部付近の部分拡大斜視図である。
【図６】図６は、本発明の２個のボックスパレットが並設された状態の斜視図である。
【図７】図７は、本発明の２個のボックスパレットが連結された状態の上部の部分拡大斜視図である。
【図８】図８は、本発明の２個のボックスパレットが連結された状態の斜視図である。
【図９】図９は、２個連結された本発明のボックスパレットに、フォークが挿入された状態の斜視図である。
【図１０】図１０は、本発明のボックスパレットの下部角部付近が連結された状態の部分拡大斜視図である。
【実施例】
【００１１】
以下に、本発明の実施例について説明するが、本発明の趣旨を越えない限り、何ら、本発明の実施例に限定されるものではない。
【００１２】
図１において、Ｂは、ボックスパレットであり、ボックスパレットＢは、パレット部材１と、相対する一方の側壁部材２と、相対するもう一方の側壁部材３とから構成されている。
【００１３】
図１及び図２に示されているように、パレット部材１は、パレット部材１の相対する一方の辺部に形成された土手部１ａと、パレット部材１の相対するもう一方の辺部に形成された土手部１ｂとを有しているとともに、相対する一方の辺部に形成された土手部１ａは、相対するもう一方の辺部に形成された土手部１ｂより高く形成されている。以下、相対する一方の辺部に形成された土手部１ａを、高部土手部と称し、また、高部土手部１ａより低い、相対するもう一方の辺部に形成された土手部１ｂを、以下、低部土手部と称する。
【００１４】
パレット部材１の裏面１ｃの相対する辺部には、低部土手部１ｂに沿って、側部桁１ｄが形成されており、また、相対する側部桁１ｄの中間部には、側部桁１ｄに略平行な中間桁１ｅが形成されており、裏面１ｃと側部桁１ｄと中間桁１ｅとにより、２本のフォーク挿入口１ｆが形成されている。このように、本発明のボックスパレットＢは、所謂、２方差しのボックスパレットＢとして構成されており、勿論、所謂、４方差しのボックスパレットＢとして構成することもできる。
【００１５】
相対する一方の側壁部材２と相対するもう一方の側壁部材３とが、共に、略垂直に立てられた状態から、特許文献１に開示されているように、一方の側壁部材２を、高部土手部１ａから上方に引き抜き、次いで、低部土手部１ｂにヒンジ連結されたもう一方の側壁部材３を、パレット部材１に重なるように倒し、その後、引き抜かれた相対する一方の側壁部材２を、パレット部材１に重ねられた相対するもう一方の側壁部材３に重ねることにより、図１に示されている箱型に組み立てられたボックスパレットＢを、図３に示されているように、折り畳むことができるように構成されている。
【００１６】
なお、以下においては、箱型に組み立てられた状態のボックスパレットＢから引き抜かれる相対する一方の側壁部材２を、引き抜き側壁部材と称し、また、低部土手部１ｂにヒンジ連結されたもう一方の側壁部材３を、ヒンジ連結側壁部材と称する。
【００１７】
図１及び図４に示されているように、引き抜き側壁部材２の上端角部には、引き抜き側壁部材２の外壁面を削除することにより、連結部材嵌合凹部４が形成されており、連結部材嵌合凹部４を形成する奥壁４ａには、周知のインサートナット５が埋設されている。
【００１８】
また、図１及び図５に示されているように、引き抜き側壁部材２の下端角部には、周知のインサートナット５が埋設されており、また、引き抜き側壁部材２の下端角部に埋設されたインサートナット５の真下に位置するパレット部材１の高部土手部１ａにも、インサートナット５が埋設されている。
【００１９】
２個のボックスパレットＢを連結する際には、図６に示されているように、２個のボックスパレットＢのヒンジ連結側壁部材３が当接するように配置した後、２個のボックスパレットＢの引き抜き側壁部材２の上端角部に形成された連結部材嵌合凹部４に、両端部にボルト挿入孔ｃ１が穿設された横長のボックスパレット用連結部材Ｃ１を、ボックスパレット用連結部材Ｃ１の半分が、それぞれ、並設された２個のボックスパレットＢの連結部材嵌合凹部４に嵌合するように配置し、その後、ボックスパレット用連結部材Ｃ１に穿設されたボルト挿入孔ｃ１にボルト６を挿通するとともに、ボルト６を、引き抜き側壁部材２の上端角部に形成された連結部材嵌合凹部４に埋設されたインサートナット５に螺合することにより、図７及び図８に示されているように、２個のボックスパレットＢを連結する。
【００２０】
上述したように、ボックスパレット用連結部材Ｃ１を介して、２個のボックスパレットＢを連結することにより、図９に示されているように、連結された２個のボックスパレットＢの隣接するフォーク挿入口１ｆに、ホークリフトのフォークＦを挿入し、連結された２個のボックスパレットＢを、一度に、搬送することができるので、コンテナーのボックスパレットＢへの収納作業の作業効率を向上することができる。
【００２１】
Ｃ２は、ボックスパレット用連結部材Ｃ１を介して連結された２個のボックスパレットＢを、ホークリフトにより搬送する際に、ボックスパレットＢの引き抜き側壁部材２とパレット部材１とが離反しないように配設された側壁部材・パレット部材分離阻止用連結部材である。
【００２２】
縦長の側壁部材・パレット部材分離阻止用連結部材Ｃ２の上下端部には、ボルト挿入孔ｃ２が穿設されている。図５に示されているように、側壁部材・パレット部材分離阻止用連結部材Ｃ２の上方に穿設されたボルト挿入孔ｃ２に、ボルト６を挿通するとともに、ボルト６を、引き抜き側壁部材２の下端角部に埋設されたインサートナット５に螺合する。また、側壁部材・パレット部材分離阻止用連結部材Ｃ２の下方に穿設されたボルト挿入孔ｃ２に、ボルト６を挿通するとともに、ボルト６を、パレット部材１の高部土手部１ａの角部に埋設されたインサートナット５に螺合する。このように構成することにより、パレット部材１と引き抜き側壁部材２との分離を防止することができる。従って、連結された２個のボックスパレットＢを、ホークリフトにより搬送する際に、安定した状態で、連結された２個のボックスパレットＢを、コンテナーに積み込むことができる。
【００２３】
また、図１０に示されているように、ボックスパレットＢが箱型に組み立てられた際に、引き抜き側壁部材２とヒンジ連結側壁部材３とが当接或いは接近するボックスパレットＢの下部角部付近に位置する引き抜き側壁部材２には、ボルト挿入孔２ａが穿設されているとともに、引き抜き側壁部材２に穿設されたボルト挿入孔２ａに対応して、ヒンジ連結側壁部材３には、インサートナットが埋設されている。そして、引き抜き側壁部材２に穿設されたボルト挿入孔２ａに、ボルト６を挿通するとともに、ボルト６を、ヒンジ連結側壁部材３に埋設されたインサートナットに螺合させることにより、引き抜き側壁部材２とヒンジ連結側壁部材３との下部角部付近を連結するように構成することもできる。このように構成することにより、引き抜き側壁部材２とヒンジ連結側壁部材３との下部角部付近の分離を防止することができる。従って、連結された２個のボックスパレットＢを、ホークリフトにより搬送する際に、更に安定した状態で、連結された２個のボックスパレットＢを、コンテナーに積み込むことができる。
【００２４】
上述したボックスパレット用連結部材Ｃ１に代えて、図６に示されているように、水平部ｈ１と、水平部ｈ１の両端から下方に垂設された垂直部ｈ１とからなる、断面形状が逆Ｕ字状のクリップ部材Ｈを使用することもできる。２個のボックスパレットＢのヒンジ連結側壁部材３が当接するように配置された際に、２個のボックスパレットＢのヒンジ連結側壁部材３の上端部を、クリップ部材Ｈにより、挟持することにより、２個のボックスパレットＢを連結するように構成されている。このようなクリップ部材Ｈは、２個のボックスパレットＢのヒンジ連結側壁部材３を連結する際には、ボックスパレット用連結部材Ｃ１と併用することもできる。
【符号の説明】
【００２５】
Ｂ・・・・・・・・・・ボックスパレット
Ｃ１・・・・・・・・・ボックスパレット用連結部材
Ｃ２・・・・・・・・・側壁部材・パレット部材分離阻止用連結部材
１ｆ・・・・・・・・・フォーク挿入口
１・・・・・・・・・・パレット部材
１ａ・・・・・・・・・高部土手部
１ｂ・・・・・・・・・低部土手部
２・・・・・・・・・・引き抜き側壁部材
３・・・・・・・・・・ヒンジ連結側壁部材
【図１】
2014172616.tif 000003
【図２】
2014172616.tif 000004
【図３】
2014172616.tif 000005
【図４】
2014172616.tif 000006
【図５】
2014172616.tif 000007
【図６】
2014172616.tif 000008
【図７】
2014172616.tif 000009
【図８】
2014172616.tif 000010
【図９】
2014172616.tif 000011
【図１０】
2014172616.tif 000012